(57)【要約】低い解像度にビデオ画像をダウンスケーリング（例えば、ＨＤＴＶからＳＤＴＶに）するための方法及び装置を開示している。この方法は、ダウンスケールされたビデオ信号を得るために第１ビデオ信号のライン方向に対応する第１方向において第１ビデオ信号を周波数ドメインアンチエイリアジングフィルタリング及びダウンスケールする段階と、第２ビデオ信号を得るために第１方向に垂直は第２方向においてダウンスケーリングビデオ信号を空間ドメインダウンスケールする段階とから構成される。本発明の方法および装置は、プログレッシブ信号と他のタイプの符号化されたインターレース信号の両方を効果的に且つ高品質に復号化するために適切である。
2004531969.tif 000002
【特許請求の範囲】
【請求項１】
第１ビデオ信号の空間分解能より低い空間分解能において第２ビデオ信号を得るために第１ビデオ信号の空間分解能をダウンスケールするための方法であって：
ダウンスケールされたビデオ信号を得るために第１ビデオ信号におけるライン方向に対応する第１方向において第１ビデオ信号のフィルタリング及びダウンスケーリングを周波数ドメインアンチエイリアジングする段階；並びに
第２ビデオ信号を得るために第１方向に垂直な第２方向においてダウンスケールされたビデオ信号を空間ドメインダウンスケールする段階；
から構成されることを特徴とする方法。
【請求項２】
請求項１に記載の方法であって、ダウンスケーリングは、逆ＤＣＴのような逆変換操作に先立ち又はその操作の間に実行される、ことを特徴とする方法。
【請求項３】
請求項２に記載の方法であって、空間ドメインダウンスケーリングに先立って、逆変換操作の後に逆動き補償が実行される、ことを特徴とする方法。
【請求項４】
請求項２に記載の方法であって、逆動き補償に先立って、逆変換操作の後に空間ドメインダウンスケーリングが実行される、ことを特徴とする方法。
【請求項５】
請求項１乃至４の何れかに記載の方法であって、第１ビデオ信号は画素群から構成され、前記方法は画素群毎に実行される、ことを特徴とする方法。
【請求項６】
請求項５に記載の方法であって、画素群は混合されたフィールド／フレームに符号化された画素群のシーケンスに含まれ、フィールドタイプに符号化された画素群は第１方向と第２方向の両方において周波数ドメインアンチエイリアジングフィルタリングされるが、フレームタイプに符号化された画素群は第１方向において周波数ドメインアンリエイリアジングフィルタリングされ、第２方向において空間ドメインアンチエイリアジングフィルタリングされる、ことを特徴とする方法。
【請求項７】
請求項１乃至６の何れかに記載の方法であって、第１ビデオ信号は量子化された周波数変換係数から構成され、前記方法は、周波数変換係数を得るために量子化された周波数変換係数を逆量子化する段階を更に含み、安置エイリアジングフィルタリングは周波数変換係数に関して実行され、並びに、前記逆量子化段階と前記フィルタリング段階は量子化マトリクスとフィルタリングマトリクスの結合である結合マトリクスを用いることにより実行される、ことを特徴とする方法。
【請求項８】
第１ビデオ信号の空間分解能より低い空間分解能において第２ビデオ信号を得るために第１ビデオ信号の空間分解能をダウンスケールするための装置であって：
ダウンスケールされたビデオ信号を得るために第１ビデオ信号におけるライン方向に対応する第１方向における第１ビデオ信号のフィルタリング及びダウンスケーリングを周波数ドメインアンチエイリアジングするための手段；並びに
第２ビデオ信号を得るために第１方向に垂直な第２方向においてダウンスケールされたビデオ信号を空間ドメインダウンスケールするための手段；
から構成されることを特徴とする装置。
【発明の詳細な説明】
【技術分野】
【０００１】
本発明は、高品位テレビジョン（ＨＤＴＶ）の信号のようなビデオ信号の空間分解能のダウンスケーリングに関する。本発明は、より詳細には、標準品位テレビジョン（ＳＤＴＶ）の解像度と釣り合いのとれるようなＨＤＴＶ信号の解像度のダウンスケーリングに関する。
【背景技術】
【０００２】
テレビジョンは、市場に投入されて依頼、日常生活のあらゆる場面にまで及ぶユビキタスプロダクトになってきている。テレビジョンは、放送又はケーブルテレビの如何に拘わらず、他のニュース形式又は媒体に比べて、世界中の変化に関する情報を多く、視聴者に提供している。使用されているテレビジョンセットの数は数億台に及ぶ。
【０００３】
標準品位テレビジョン（ＳＤＴＶ）と呼ばれる現在のテレビジョンの技術は、２０世紀半ばに開発され、標準化されたアナログ技術に基づいている。このように、周波数分配、フォーマット等についての長い年数に亘って確立されたテレビジョンの放送標準は、送信され、それ故、ユーザに視聴される情報量に制限を課している。ＳＤＴＶの制約を克服するためにデザインされた高品位テレビジョン（ＨＤＴＶ）と呼ばれるより新しいテレビジョン技術は、送信する前にテレビ信号をデジタル化し且つ圧縮することにより送信データの量を増加させることが可能である。ＳＤＴＶを著しく陵駕するＨＤＴＶの有利点は、増加したデータ送信において、表示される画像の明確さが改善されることである。この明確さの改善は、ＳＤＴＶの送信に比べて、非常に高い解像度を有する画像を送信することによっている。
【０００４】
ＨＤＴＶ送信数は、既存のＳＤＴＶ送信と併せて増加し始めたため、数億台のＳＤＴＶに及ぶＳＤＴＶテレビジョンセットは、新しいＨＤＴＶ信号を受信するために適合される必要がある。ＳＤＴＶテレビジョンセットをＨＤＴＶフォーマットに適合させることは、ＳＤＴＶテレビジョンセットにおいて表示するために基準に合ったフォーマットに受信されるＨＤＴＶ信号を空間的にダウンスケールするために、例えばセットトップボックス等の変換ボックスを付加することにより、簡単に適応されることが可能である。ＨＤＴＶからＳＤＴＶに空間的にダウンスケールするための技術は、当該分野では周知である。
【０００５】
国際公開第９７／１４２５２−Ａ１号パンフレットは、離散コサイン変換（ＤＣＴ：Ｄｉｓｃｒｅｔｅ  Ｃｏｓｉｎｅ  Ｔｒａｎｓｆｏｒｍ）を用いる方法及び装置について開示している。画像を減少させるために、その方法は、ＤＣＴドメインにアンチエイリアジングフィルタを導入するためのＤＣＴの畳み込み乗算の性質を利用しており、フィルタ係数は減少サイズ画像のＤＣＴ係数を生成するために機能する。
【０００６】
欧州特許第０７８１０５２−Ａ２号明細書は、あらゆる色空間符号化フォーマットにおいて符号化されたＭＰＥＧビデオビットストリームを復号化するため且つ異なるサイズのウィンドウにその復号化ビデオビットストリームを出力するための復号器を開示している。その開示された復号器は、ＹＵＶ４：２：０、ＹＵＶ４：２：２及びＹＵＶ４：４：４から構成される任意の三原色空間フォーマットで復号化ビデオビットストリームを出力するために、プログラムされることが可能である。復号器は又、ＤＣＴベースの画像サイズ変更を用いて異なるサイズのウィンドウに復号化ビットストリームを出力することが可能である。
【０００７】
添付図面は本発明の概念を示す目的のみのためのものであり、本発明の制限を規定することを意図するものではないことを理解されたい。対応する構成要素を識別するために、可能である限り文字表現を添えた同じ参照番号が一貫して用いられていることを認識されたい。
【発明の開示】
【課題を解決するための手段】
【０００８】
本発明の目的は、特に、フィールドタイプの符号化画素群とフレームタイプの符号化画素群の両方を含む符号化ビデオ信号のために、より有利な解像度のダウンスケーリングを提供することである。この目的を達成するために、本発明は、独立請求項に従った方法及び装置を提供する。好適な実施形態は従属請求項において規定されている。
【０００９】
本発明の第１の特徴に従って、周波数ドメインアンチエイリアジングフィルタリング及びダウンスケーリングは第１ビデオ信号のライン方向と対応する第１方向（例えば、水平）において実行され、空間ドメインダウンスケーリングは第１方法に垂直である第２方向（例えば、垂直）において実行される。第１方向におけるダウンスケーリングは、逆周波数変換操作の間に又はそれに先立って、実行されることが可能である。本発明は、フィールドタイプに符号化された画素群とフレームタイプに符号化された画素群の両方のために第２方向に適用された周波数ドメインアンチエイリアジングフィルタの所定のタイプが空間ドメインにおける他のフィルタタイプに対応するという洞察に基づいている。これは、フィールドタイプの画素群は常に２つの分離した変換符号化フィールド（例えば、上部フィールドと下部フィールド）を含む一方、フレームタイプの画素群は常に全体として変換符号化される１つのフレームにおいて混合された２つのフィールドに対応する情報を含むという事実の結果である。空間ドメインにおいてフィールドタイプ及びフレームタイプに符号化された画素群をフィルタリングすることは、フィールドタイプとフレームタイプに符号化された画素群の両方がビデオ信号において存在する場合に、逆動き補償の間に生じる重大なエラーの原因になる可能性がある。ライン方向における周波数ドメインアンチエイリアジングフィルタリング及びダウンスケーリング並びにライン方向と垂直な方向における空間ドメインダウンスケーリングにより、これらのエラーは減少される。従って、本発明の方法及び装置は、混合フレーム／フィールドタイプの画素群から構成されるインターレースビデオ信号と、混合フレーム／フィールドタイプの画素群（例えば、フィールドタイプに符号化された画素群のみ）を伴わないインターレースビデオ信号と、方法又は装置に対する主要な変更なしにフレームタイプに符号化された画素群を伴うプログレッシブビデオ信号とを処理するために適切である。
【００１０】
実際の実施形態においては、第２方向における空間ドメイン  アンチエイリアジングフィルタリングは、第２方向において空間ドメインダウンスケーリングに先立って実行される。
【００１１】
一実施形態においては、第１ビデオ信号は、第２方向における空間ドメインダウンスケーリングの前の逆動き補償が変換操作の後に行われる逆ＤＣＴ（ＩＤＣＴ）のような逆変換操作の間に又はその前にダウンスケールされる。これは、動きベクトルのダウンスケーリングにより導入され得るエラーは第２方向の逆動き補償において影響がないという優位性がある。好適には、第２方向における空間ドメインダウンスケーリングは同じ方向におけるアンチエイリアジンスフィルタリングの後に実行される。空間ドメインダウンスケーリングは、好適には、フレームレベルで適用される。これは、より鋭い周波数カットオフを得るために第２方向における長いインパルス応答をもつフィルタを用いることを可能にする。この実施形態の優位性は、ブロックに基づくフィルタリングによりブロックのエッジにおいて生じる歪みは第１方向においてのみ現れることである。逆動き補償が１次元のダウンスケールされたピクチャにおいて実行されるとき、参照フィールド／フレームの記憶のために必要なメモリサイズは、従来の全体的な空間ドメインスキームに比べて、減少される。このメモリの減少は水平のスケーリングファクタに依存する。
【００１２】
好適には、空間ドメインのダウンスケーリングは、逆動き補償の前に実行される。逆動き補償の前の垂直空間ドメインダウンスケーリングにより、逆動き補償について参照フィールド／フレームを記憶するために必要とされるメモリサイズは、例えば、ダウンスケーリングがフィールド／フレームのサイズを５０％に減少する場合における半分のサイズに減少される。このメモリサイズは、匹敵する双方向の周波数ドメインダウンスケーリングのために必要とされるメモリサイズに一致する。
【００１３】
他の実施形態においては、フィールドタイプに符号化された画素群は、周波数ドメインの１つの方向及び空間ドメインの他の方向ではなく、周波数ドメインの両方の方向において、アンチエイリアジングフィルタリングされる。各々のフレームタイプに符号化された画素群について、水平周波数ドメインアンチエイリアジングフィルタリング及び垂直空間ドメインアンチエイリアジングフィルタリングが実行される。この実施形態において、同じ週は巣ドメインフィルタが、フィールドタイプに符号化された画素群及びフレームタイプに符号化された画素群のために水平方向において適用される。フレームタイプにエンコードされた画素群のために垂直方向において用いられる空間ドメインフィルタは、フィールドタイプに符号化されたマクロブロックのために垂直方向において用いられる周波数ドメインフィルタに対応する。逆動き補償の前の空間ドメインにおける垂直ダウンスケーリングにより、逆動き補償のために参照フィールド／フレームを記憶するために必要とされるメモリサイズは、匹敵する双方向周波数ドメインダウンスケーリングのために必要とされるメモリサイズに対応する。通常は遅い方法である垂直空間ドメインフィルタリングがフレームタイプの画素群において且つフィールドタイプの画素群においてではなく実行されるのみであるため、この実施形態の性能はより高い。各々のフレームタイプの画素群は、第１方向のみの周波数ドメインにおいてフィルタリングされ、次いで、スケーリング可能なＩＤＣＴの間に第１方向にダウンスケールされる。全ての画素群がこのようにして復号化された後、混合されたフィールド情報は分離され、各々の画素群はフィルタリングされ、動き補償に先立って第２方向の空間ドメインにおいてダウンスケールされる。フィールドタイプの画素群は、両方の方向において周波数ドメインフィルタリングされるが、逆動き補償に先立って周波数ドメインの１つの方向及び空間ドメインの他の方向においてダウンスケールされる。
【００１４】
画素群は、画素のブロック又はマクロブロックとなる。ＭＰＥＧ−２の場合、各々の１６ｘ１６のマクロブロックは４つの８ｘ８の画素ブロックからなる。インターレースされた信号は、例えば、ＭＰＥＧ−２における２つの異なるモードにより符号化されることが可能であり、第１のモードはフィールドタイプのピクチャを伴い、第２のモードはフレームタイプのピクチャを伴う。第１の場合には、各々のピクチャのフィールドは、別々に符号化され、混合されたフィールド／フレームマクロブロックモードは用いられない。第２の場合には、各々のピクチャはプログレッシブな方法で符号化され、即ち、２つのフィールドは共に混合され、符号化される。この場合には、混合されたマクロブロックが用いられる。従って、インターレースされた信号が復号化されるだい２のやり方のための簡単な双方向周波数ドメインのダウンコンバージョンスキームを用いる場合、動き補償の間にエラーの伝搬がもたらされ、重要な映像品質が失われる。
【発明を実施するための最良の形態】
【００１５】
標準テレビジョンのスクリーン上の表示のためのスケーリングＨＤＴＶ復号化信号を含む本発明の実施形態の新規な特徴を理解し、正しく認識するために、先ず、従来のＨＤＴＶプロセス及びそれに関連する問題点について説明する必要がある。図１は、代表的なＨＤＴＶシステムを示している。図１に示すように、代表的には、６４個の画素要素の８ｘ８マトリクスから構成される信号ジェネレータ１０１により生成されるデジタルテレビジョン信号は、ＭＰＥＧ符号器２０３により圧縮される。ＭＰＥＧ符号化は、当該技術分野で周知でありフーリエ変換に類似した機械的操作である、離散コサイン変換（ＤＣＴ）に基づいている。ＭＰＥＧ符号器は、信号１０２により生成された画素の典型的な８ｘ８マトリクスの、信号１０４で表される係数の８ｘ８マトリクスへの変換を実行する。周知のように、結果として得られたＤＣＴ変換マトリクスは、マトリクスの左上部コーナーの高周波数情報と、マトリクスの右下部コーナーの低周波数情報とを記憶する。ＤＣＴ変換マトリクスは、次いで、８ビット即ち１バイトが各々のマトリクス要素において値を表すために用いられるように、量子化される。この量子化マトリクスは、送信アンテナ１０６を経由してＴＶ送信器１０５により、この説明のための例において、送信される。Ｍｏｖｉｎｇ  Ｐｉｃｔｕｒｅｓ  Ｅｘｐｅｒｔｓ  Ｇｒｏｕｐ（ＭＰＥＧ）により指定された標準であるＭＰＥＧ−２、ＭＰＥＧ−４，ＭＰＥＧ−７等のデジタルビデオ圧縮技術は、当該技術分野においては周知であり、ここで詳細に説明する必要はない。
【００１６】
図１を再び参照するに、送信デジタル信号１０８は、受信アンテナ１１０により受信され、チューナ１２５を含むＴＶ受信器１２０により処理される。チューナ１２５は、複数のＨＤＴＶからの特定のＨＤＴＶ信号と受信されたＳＤＴＶとを分離するために用いられる。この分離された信号は、次いで、デジタル的に送信された信号１３０を表示可能な信号１４５に復号化する復号器１４０、例えばＭＰＥＧ復号器により処理される。例えばＭＰＥＧ復号化を用いて、復号器１４０は、受信信号を復号化し、ラインと列に順序付けられたが粗データのストリームに送信係数を戻す。表示ドライバ１５０は、受信データに基づく高解像度スクリーン１６０上の表示に対して適切な赤（Ｒ）、緑（Ｇ）及び青（Ｂ）の色を生成する。
【００１７】
より高い解像度を実現するために、ＨＤＴＶ画像が高解像度で生成される。第１の場合には、画像は各々の水平ラインにおいて１９２０画素を伴って送信され、そしてラインは１０８０本あり、従って、解像度は１９２０ｘ１０８０になる。他方、第２の場合には、画像は、ライン当たり１２８０画素及び７２０本のラインであって、即ち１２８０ｘ７２０の解像度において送信される。例えば、米国及び日本におけるテレビジョン送信システム、即ちＳＤＴＶシステムＮＴＳＣにおいては、約７２０ｘ４８０の解像度であって、即ち各々の４８０本のラインについて７２０個の画素から構成される。ヨーロッパにおいては、異なる解像度、即ち７２０ｘ５７６をいまだに用いるＰＡＬシステムを採用している。
【００１８】
図２は、ＨＤＴＶ画像に重ね合わされた代表的なＮＴＳＣ  ＳＤＴＶの画像が表示される領域を示している。ここで示す例においては、送信ＨＤＴＶ画像の表示される領域を領域２０５で示し、ＳＤＴＶ画像を領域２１０で示している。図２に示すように、ＳＤＴＶ画像に重ね合わされるＨＤＴＶ画像の部分のみがＳＤＴＶスクリーン上でみえるときは、ＨＤＴＶ画像のかなりの部分は失われる。
【００１９】
ＳＤＴＶスクリーン上のＨＤＴＶ信号の表示を可能にするために、ＨＤＴＶ信号は、ＨＤＴＶ信号を圧縮するために“ダウンスケール”される。図３は、ＳＤＴＶスクリーン１９０において表示するためにデジタル信号１４５をスケーリング信号１５５にスケーリングするために、図１のシステムにおいて、スケーラ１７０を導入していることを示している。この場合、スケーラは、本質的には、画像２１０の境界内で適合するために、図２の画像２０５を減少させるための信号１４５の２次元スケーリングを実行する。従って、ここで示す例において、スケーラは、画像２０５を、
１９２０／７２０＝２．６６
の比で水平方向において割り、
１０８０／４８６＝２．２２
の比で垂直方向に割る。
【００２０】
スケーラ１７０は、他のＨＤＴＶ解像度に略ダウンスケールするように更にプログラムされることが可能である。ＣＰＵ１８０は、略ダウンスケーリング比にスケーラ１７０をプログラムするために、実例として用いられる。
【００２１】
しかしながら、開示している方法でＨＤＴＶ信号を復号化し且つダウンスケールすることには、ＨＤＴＶ信号の十分な復号化及び重要な資源を必要とする。図４ａは、当該技術分野で周知であって、ここで簡単に説明した、典型的な復号器１４０、例えばＭＰＥＧ復号器を示している。図３に示すように、デジタル信号１３０はハフマン（Ｈｕｆｆｍａｎ）復号器４２５により処理される。ハフマン復号器４２５により処理された信号は逆量子化器４０５により処理される。信号４０７は、次いで、代表的な６４個の係数の送信８ｘ８マトリクスを６４個の画素の８ｘ８マトリクスに変換するために、逆ＤＣＴ（ＩＤＣＴ）４１０により処理される。変換された信号４０８は、次いで、静止画像データを回復することにより送信画像を解凍するため及び最初に適用された動き補償を逆にするために、信号と結合される。結果的に結合された信号は、ここで、非圧縮であって動き補償されたデジタル画像である。ハフマン復号器４２５と逆動き補償ブロック４３６の間のリンクは、逆動き補償のために用いることに先立ってハフマン復号器４２５が動きベクトルデータを復号化することを示している。デジタル画像は、次に、画像から高周波数成分をフィルタリングするために安置エイリアジングフィルタ４３５に適用される。従って、アンチエイリアジングフィルタリングは当該技術分野では周知であり、例えば、ローパス有限インパルス応答フィルタとして導入される。アンチエイリアジングフィルタ４３５は、デジタル画像内のデータアイテムのエッジの角を取る。出力信号１４５は、画像を表示するために用いられるビデオラインを表すことができる画素情報を含む。
【００２２】
図４ｂは、逆動き補償を実行するために復号器１４０において必要とされるビデオメモリ４２０を示している。ここで示した例において、各々の画像は、ビデオメモリの“ページ”に記憶される。従って、メモリページ４２０ａは、第１画像に関連する画素情報を含み、メモリ４２０ｂは第２画像に関連する画素情報を含み、及び、メモリ４２０ｎは“ｎ番目の”画像に関連する画素情報を含む。正しく認識されるであろうように、各々のビデオ画像の記憶装置には十分なビデオメモリが必要である。例えば、１９２０ｘ１０８０の解像度を有する画像を記憶するためには、２メガバイト以上の記憶装置が必要である。
【００２３】
図５は、本発明の実施形態に従ったＡＦＤ（Ａｌｌ  Ｆｏｒｍａｔ  Ｄｅｃｏｄｅｒ：オールフォーマットデコーダ）５０５による復号器１４０の置き換えについて示している。このような実施形態において、ＡＦＤ５０５はデジタル信号１３０を受信し、スケーリング信号５２０にそれを変換する。この場合、ＡＦＤ５０５は、ＳＤＴＶ画像の標準に補償可能な解像度を実現するためにデジタル信号１３０を水平方向にスケーリングする。例えば、ＡＦＤ５０５は、倍半分だけデジタル信号１３０を水平にスケーリングする（例えば、解像度を１９２０から９６０に）。水平にスケーリングされた信号５２０は、次いで、ＳＤＴＶ画像の標準に匹敵する解像度を達成するためにスケーラ１７０により垂直にスケーリングされる。例えば、スケーラ１７０は、倍半分だけ水平にスケーリングされた信号５２０に垂直にダウンスケールした、即ち解像度を１０８０から５４０にした。従って、このダウンスケールされた画像の解像度は９８０ｘ５４０になる。
【００２４】
デジタル信号１３０は十分な解像度で復号化されず、非圧縮動き補償ビデオデータを記憶するためにはかなり少ないメモリで十分であるので、必要とされる処理電力は少なくて済むため、デジタル信号１３０を水平にダウンスケールするためにＡＦＤ５０５を用いることは好適である。選択的に減少されたデータのセット、例えば４ｘ８マトリクスの３２要素は、従来の８ｘ８マトリクスの６４要素より処理され易いため、ＡＦＤ５０５に必要な処理電力はかなり減少される。更に、完全に復号化された画像は記憶されないので、選択的に減少されたデータのセットのみというより、スケーリングされた画像を記憶するために必要とされるビデオメモリはかなり少ない。図５においては、減少されたメモリはメモリ５１０ａ乃至５１０ｎとして示している。この場合、逆動き補償を実行するために巣兵にスケーリングされた画像を記憶するために必要なメモリは、約１メガバイトである。逆動き補償器に先立ってマクロブロックが空間的にダウンスケールされた場合、更に減少されたデータのセットに処理されて、例えば４ｘ４マトリクスの１６要素が得られる。ＡＦＤ５０５の出力は、その場合は、両方の方向にダウンスケールされ、それによりスケーラ１７０が冗長にされたフレームとなる。この場合、逆動き補償の実行のための水平及び垂直にスケーリングされた画像を記憶するために必要なビデオメモリは、約０．５メガバイトである。
【００２５】
図６ａは、ＡＦＤ５０５の典型的な機能ブロック図を示している。この図において、デジタル信号は、先ず、ハウマン復号器４２５により処理され、次いで、逆量子化器及び周波数ドメインフィルタ６１０により処理される。量子化器／フィルタ６１０の出力は信号６１２である。信号６１２は、後に示すように、アンチエイリアジングフィルタ４３５により得られたフィルタリング特性に類似したフィルタリング特性を有する。信号６１２は、次に、信号６１２の典型的な６４個の係数要素を、例えば選択的に選ばれた３２個の画素要素から構成される水平にスケーリングされた信号に変換される、スケーリング可能なＩＤＣＴ６１５により処理される。スケーリング可能なＩＤＣＴ６１５の出力は、次いで、空間ドメイン垂直ダウンスケーラ５１１における種々の方向にスケーリングされ、画像内の静止情報を回復し且つ動き補償の効果を逆にするためにスケーリング可能な動き補償器６５０からの信号と結合する。出力信号５２０は、ＳＤＴＶテレビジョンセットと略匹敵するように空間的にダウンスケールされた解像度を有する信号である。
【００２６】
図６ｂは、図６ａの典型的な復号器の一部の機能ブロック図である。この復号器の機能ブロック図において、量子化器／フィルタ６１０により生成されたフィルタリング信号６１２は、減少された画素のセットに係数のセットを送信するＩＤＣＴ及び水平スケーラ６１５により生成される。インターレースされた素材がマクロブロックの混合フィールド／フレームモードを含む場合、復号器は、マクロブロックレベル又はフレームレベルに垂直に画像をダウンスケールする空間ドメインにプログラムされることが可能である。マクロブロックレベルが選択される場合、ＩＤＣＴ６３０の後に、各々のフィルタリング且つ水平にダウンスケールされたマクロブロックは、フレームタイプに符号化される場合、垂直方向における空間フィルタ及びスケーラにより処理される。マクロブロックがフィールドタイプに符号化される場合、周波数ドメインにおいて両方の方向にすでにフィルタリングされているため、フィルタリングなしでスケーラにより処理されることが可能である。フィールドタイプに符号化されたマクロブロックのために用いられる垂直の周波数ドメインフィルタは、逆動き補償の間に予測歪みを減少させるために、フレームタイプに符号化されたマクロブロックのために後いられる空間ドメインフィルタに対応する必要がある、ことに留意されたい。フレームレベルの垂直空間ドメインダウンスケーリングが選択された場合、任意のタイプの符号化されたマクロブロックがＩＤＣＴ６３０において水平にダウンスケールされ、その後、動き補償６５０により処理される。動き補償を実行した後、垂直に画像を空間的に縮小するために、空間ドメインフィルタ及びスケーラ１７０が必要である。
【００２７】
図６ｃは、動きベクトルダウンスケーラ５１３の機能ブロック図である。動きベクトル１２２は、先ず、ハフマン復号器４２５により処理され、次いで、水平動きベクトルスケーラ５１４により水平にダウンスケールされ、垂直動きベクトルスケーラ５１５により垂直にダウンスケールされ、そして動き補償器６５０により処理される。フレームレベルの垂直空間ダウンスケーリングにおいて、動きベクトルは、垂直動きベクトルスケーラ５１５により垂直方向にのみダウンスケールされなければならない。
【００２８】
周波数ドメイン及び対応する空間ドメインフィルタの選択は、離散コサイン変換の畳み込み乗算特性に関連させるために、ここで示すことが可能である。当該技術分野において周知であるように、ＤＣＴは、離散フーリエ変換（ＤＦＴ）に類似する畳み込み乗算特性をもっている。次いで、一次元の実数数列ａ（ｎ），ｎ＝０．．．Ｎ−１及び一次元の実数で偶数の数列ｈ（ｎ），ｎ＝−Ｎ．．．Ｎ−１について、
Ｆｃ（ｎ）＝Ａｃ（ｎ）Ｈｆ（ｎ）  （ｎ＝０．．．Ｎ−１）    ［１］
であって、Ｆｃ（ｎ）がｆ（ｎ）のＮポイントのＤＣＴであり、Ａｃ（ｎ）がａ（ｎ）の実数の数列のＮポイントのＤＣＴであり、Ｈｆ（ｎ）がｈ（ｎ）の２ＮポイントのＤＦＴである場合、
ｆ（ｋ）＝ａ（ｋ）＊ｈ（ｋ）  （ｋ＝０．．．Ｎ−１）      ［２］
であって、＊は、０及び偶数の対称数列
（外１）
2004531969.tif 000003
により偶数の長さに拡張された奇数の対称数列である数列ｈ（ｋ）の２Ｎの長さの循環的畳み込みを対称的に畳み込んだ結果とみなすことができる対称的畳み込み演算子であり、それを次式のように表わすことができる。
【００２９】
【数１】
2004531969.tif 000004
周波数ドメインにおける乗算と時間ドメインにおける畳み込みとの間のこの関係の特性は、２次元の場合に拡張することができ、
Ｆｃ（ｎ，ｍ）＝Ａｃ（ｎ，ｍ）Ｈｆ（ｎ，ｍ）
（ｎ，ｍ＝０．．．Ｎ−１）    ［３］
である場合、
ｆ（ｋ，ｌ）＝ａ（ｋ，ｌ）＊ｈ（ｋ，ｌ）
（ｋ，ｌ＝０．．．Ｎ−１）    ［４］
であって、＊は、２次元対称畳み込み演算子であり、Ｆｃ（ｎ，ｍ）はｆ（ｎ，ｍ）の２次元ＮｘＮＤＣＴ（ｎ，ｍ＝０．．．Ｎ−１）であり、Ａｃ（ｎ，ｍ）はａ（ｎ，ｍ）の２次元ＮｘＮＤＣＴ（ｎ，ｍ＝０．．．Ｎ−１）であり、Ｈｆ（ｎ，ｍ）はｈ（ｎ，ｍ）の２次元２Ｎｘ２ＮＤＦＴ（ｎ，ｍ＝０．．．Ｎ−１）である。
【００３０】
後に認識されるであろうように、実数の数列のａ（ｋ，ｌ）の２次元ＤＣＴは派行列を生成し、ここで、低周波数要素はマトリクスの左上に含まれ、高周波数要素はマトリクスの右下に含まれる。ここで、式３及び４に従って、両方の方向におけるDCTドメインのフィルタリングは、特定のフィルタマトリクスにより受信ＤＣＴ係数を乗算することにより実現される。例として、例えば、両方向におけるインパルス応答ｈ（ｎ）＝｛０．２５，０．５，０．２５｝のための３タップのローパスフィルタのフィルタマトリクスは、次のように得られることができる。式１に従って、示されるフィルタＨＮ（ｎ）の周波数応答は、ｈ２Ｎ（ｎ）、即ち０により２Ｎの長さに拡張された奇数の対称数列のＤＦＴの計算により得られる。２次元周波数は、
【００３１】
【数２】
2004531969.tif 000005
であって、
（外２）
2004531969.tif 000006
はクロネッカー（ｋｒｏｎｅｃｋｅｒ）乗算演算子である。従って、フィルタｈ（ｎ）について、乗算マトリクスは、次式のようになる。
【００３２】
【数３】
2004531969.tif 000007
従って、周波数ドメイン量子化器／フィルタは、フィルタマトリクスＨ（ｎ，ｍ）を用いて、量子化マトリクスを予めマージすることにより逆量子化関数と結合されることができる。より具体的には、フィルタマトリクスがＨＨＮと表される場合、
【００３３】
【数４】
2004531969.tif 000008
となる。そして、量子化マトリクスは
【００３４】
【数５】
2004531969.tif 000009
と表される。次いで、結合された量子化フィルタリングマトリクスは、
【００３５】
【数６】
2004531969.tif 000010
と表される。
【００３６】
混合されたフィールド／フレームタイプに符号化されたマクロブロックについて、フレームタイプに符号化されたマクロブロックは、水平方向のみにおける周波数ドメイン及び垂直方向における空間ドメインにおいてフィルタリングされなければならない。又、フレームレベルの空間垂直ダウンスケーリングについて、全てのマクロブロックは、水平方向のみに周波数ドメインにおいてフィルタリングされなければならない。その場合、フィルタマトリクス（ｎ）＝｛０．２５，０．５，０．２５｝は、
【００３７】
【数７】
2004531969.tif 000011
となる。
【００３８】
好適な実施形態に適用したように、本発明の基本的な新しい特徴について図で示し、説明し、そして指摘してきたが、本発明の適用範囲から逸脱せずに、説明した方法において、種々の省略、置換及び変更を当業者は行うことが可能である。更に、ここでは、ＨＤＴＶ送信に関してＭＰＥＧ復号化を説明したが、ここで開示した発明の概念は、ＭＰＥＧ符号化／復号化のみに限定されるものではなく、他のデジタルテレビジョン符号化／復号化技術に適用可能であることは、当業者には十分に認識されるであろう。
【００３９】
同じ結果を達成するため実質的に同じ方法において同じ機能を実質的に実行する要素及び／又は方法についての全ての組み合わせは、本発明の適用範囲内にあることを特に意図するものである。又、上述の一の実施形態から他の実施形態への要素の置き換えについては、十分に意図し考慮を加えている。
【００４０】
上述の実施形態は本発明を限定するのではなく、例示であり、添付された本発明の請求項の範囲から逸脱することなく、当業者は多くの他の形態をデザインすることが可能であることに留意されたい。請求項においては、括弧で括られた参照符号は何れも請求項を制限するものとして解釈されることはない。用語‘から構成される’は、請求項に記載された要素又は段階以外の要素又は段階の存在を排除するものではない。幾つかの別個の要素から構成されるハードウェアにより、及び適切にプログラムされたコンピュータにより本発明を実行することが可能である。数種類の手段を挙げている装置請求項においては、それらの数種類の手段は１つ及び同様にアイテムのハードウェアにより具現化されることができる。特定の手段が互いに異なる請求項において挙げられているということは、それらの手段の組み合わせが好適に用いられることができないことを単に示すものではない。
【図面の簡単な説明】
【００４１】
【図１】代表的なＨＤＴＶ送信及び受信システムを示す図である。
【図２】代表的なＨＤＴＶ及びＳＤＴＶ表示フォーマットを示す図である。
【図３】代表的なＨＤＴＶ受信システム及びＳＤＴＶ表示システムを示す図である。
【図４ａ】代表的なＭＰＥＧ復号化システムの機能ブロック図である。
【図４ｂ】代表的なＭＰＥＧ復号化システムの模式的なブロック図である。
【図５】本発明の原則に従った復号化システムの代表的な実施形態を示す図である。
【図６ａ】本発明の原則に従った復号化システムの代表的なブロック図である。
【図６ｂ】図６ａに示した代表的な復号化システムの一部の機能ブロック図である。
【図６ｃ】図６ａに示した代表的な復号化システムで用いられる代表的な動きベクトルダウンスケーリングの機能ブロック図である。
【図１】
2004531969.tif 000012
【図３】
2004531969.tif 000013
【図４ａ】
2004531969.tif 000014
【図４ｂ】
2004531969.tif 000015
【図５】
2004531969.tif 000016
【図６ａ】
2004531969.tif 000017
【図６ｂ】
2004531969.tif 000018
【図６ｃ】
2004531969.tif 000019
【国際公開パンフレット】
2004531969.tif 000020
2004531969.tif 000021
2004531969.tif 000022
2004531969.tif 000023
2004531969.tif 000024
2004531969.tif 000025
2004531969.tif 000026
2004531969.tif 000027
2004531969.tif 000028
2004531969.tif 000029
2004531969.tif 000030
2004531969.tif 000031
2004531969.tif 000032
2004531969.tif 000033
2004531969.tif 000034
2004531969.tif 000035
2004531969.tif 000036
2004531969.tif 000037
2004531969.tif 000038
2004531969.tif 000039
2004531969.tif 000040
【国際調査報告】
2004531969.tif 000041
2004531969.tif 000042
2004531969.tif 000043